(57)【特許請求の範囲】
【請求項１】
抽選用数値列を周期的に繰り返し、発生した抽選信号を入力したときの上記抽選用数値列の数値に応じて、当たりの判断を行い、当たりであるとの判断が行われた場合には、利益を提供する遊技状態になる遊技機に対して仕掛けられる不正を検出する装置であって、
上記抽選用数値列の周回周期に関連するタイミングで周期的な基準信号を発生する基準信号発生手段と、
上記抽選信号を入力する抽選信号入力手段と、
上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、
該計数手段が計数したカウント値を順次入力し、該入力したカウント値が同一の値の近傍に多く発生しているカウント値の偏り状態を判断するカウント値偏り判断手段と、
該カウント値偏り判断手段がカウント値の偏り状態であると判断した場合に不正検出信号を出力する不正信号出力手段と
を備え、
上記カウント値偏り判断手段を該計数手段が計数したカウント値を順次入力して、複数記憶するカウント値複数記憶手段と、
該カウント値複数記憶手段に記憶されているカウント値の複数を対比して、各カウント値の偏差が所定値以下かを判断する偏差判断手段とにし、
上記不正信号出力手段を該偏差判断手段が各カウント値の偏差が所定以下であると判断した場合に不正検出信号を出力するとしたことを特徴とする遊技機の不正検出装置。
【請求項２】
抽選用数値列を周期的に繰り返し、発生した抽選信号を入力したときの上記抽選用数値列の数値に応じて、当たりの判断を当たり判断手段で行い、該当たり判断手段が当たりであるとの判断を行った場合には、利益を提供する遊技状態になる遊技機に対して仕掛けられる不正を検出する装置であって、
上記抽選用数値列の周回周期に関連するタイミングで周期的な基準信号を発生する基準信号発生手段と、
上記抽選信号を入力する抽選信号入力手段と、
上記当たり判断手段が当たりであると判断したことを示す当たり信号を入力する当たり信号入力手段と、
上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、
該計数手段が計数したカウント値を順次入力し、カウント値を複数記憶するカウント値記憶手段と、
上記当たり信号入力手段が当たり信号を入力した場合に、上記カウント値記憶手段が複数記憶しているカウント値を記憶する当たりカウント値記憶手段と、
上記当たりカウント値記憶手段が複数記憶しているカウント値と、上記カウント値記憶手段が複数記憶しているカウント値とを対比して、両カウント値の並びに類似する状態があるかを判断するカウント値並び類似判断手段と、
該カウント値並び類似判断手段がカウント値の並びに類似状態があると判断した場合に不正検出信号を出力する不正信号出力手段と
を備え、
上記カウント値並び類似判断手段を上記当たりカウント値記憶手段が複数記憶しているカウント値と、上記カウント値記憶手段が複数記憶しているカウント値とを対比して、両カウント値間に少なくとも２以上の所定数以上の同一の値のカウント値が有る場合に両カウント値間に類似する状態があると判断するとしたことを特徴とする遊技機の不正検出装置。
【請求項３】
抽選用数値列を周期的に繰り返し、発生した抽選信号を入力したときの上記抽選用数値列の数値に応じて、当たりの判断を行い、当たりであるとの判断が行われた場合には、利益を提供する遊技状態になる遊技機に対して仕掛けられる不正を検出する装置であって、
上記抽選用数値列の周回周期に関連するタイミングで周期的な基準信号を発生する基準信号発生手段と、
上記抽選信号を入力する抽選信号入力手段と、
上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、
該計数手段が計数したカウント値を順次入力し、該入力したカウント値に周期性があるかを判断するカウント値周期性判断手段と、
該カウント値周期性判断手段がカウント値に周期性があると判断した場合に不正検出信号を出力する不正信号出力手段と
を備えることを特徴とする遊技機の不正検出装置。
【請求項４】
上記カウント値周期性判断手段を該計数手段が計数したカウント値を順次入力し、所定の２個のカウント値の偏差と、他の所定の２個のカウント値の偏差とを求め、両偏差の偏差が所定値以下の場合に、該入力したカウント値に周期性があると判断するとしたことを特徴とする請求項３記載の遊技機の不正検出装置。
【請求項５】
上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行い、当たりであるとの判断が行われた場合には、利益を提供する遊技状態になるとし、上記基準信号発生手段を上記遊技機のクロック信号に基づいて周期的な基準信号を発生するとしたことを特徴とする請求項１ないし請求項４記載の遊技機の不正検出装置。
【請求項６】
上記遊技機を抽選用の数値列を、所定の周期で先頭から抽選用記憶エリアに移行させ、遊技によって発生した抽選信号を入力したときに、上記抽選用記憶エリアに位置する数値に応じて、当たりの判断を行い、当たりであるとの判断が行われた場合には、利益を提供する遊技状態になるとし、
上記基準信号発生手段を上記遊技機の抽選用の数値列を抽選用記憶エリアに先頭から移行させる場合の所定の周期に同期する基準信号を発生するとしたことを特徴とする請求項１ないし請求項４記載の遊技機の不正検出装置。
【請求項７】
上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行うとともに、上記抽選用数値列の先頭位置を所定の手順で求めた先頭位置変更値に応じて変更する先頭位置変更手段を備え、当たりであるとの判断が行われた場合には、利益を提供する遊技状態になるとし、
上記先頭位置変更値を入力する先頭位置変更値入力手段を加え、
上記基準信号発生手段を上記遊技機のクロック信号に基づいて周期的な基準信号の発生時点を求める基準信号発生時点算出手段と、
上記先頭位置変更値入力手段が入力した先頭位置変更値に基づいて、上記求めた発生時点を変更する基準信号発生時点変更手段と、
該基準信号発生時点変更手段が求めた発生時点に基準信号を発生する基準信号出力手段とを備えたとしたことを特徴とする請求項１ないし請求項４記載の遊技機の不正検出装置。
【請求項８】
上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行うとともに、上記抽選用数値列の先頭位置を所定の手順で求めた先頭位置変更値に応じて変更する先頭位置変更手段を備え、当たりであるとの判断が行われた場合には、利益を提供する遊技状態になるとし、
上記先頭位置変更値を入力する先頭位置変更値入力手段と、
上記先頭位置変更値入力手段が入力した先頭位置変更値に基づいて、上記計数手段が計数したカウント値を補正するカウント値補正手段とを加えたことを特徴とする請求項１ないし請求項４記載の遊技機の不正検出装置。
【請求項９】
上記不正信号出力手段が不正検出信号を出力した場合に、赤色光表示、又は所定の光表示を行う不正表示手段を加えたことを特徴とする請求項１ないし請求項８記載の遊技機の不正検出装置。
【請求項１０】
上記不正信号出力手段が不正検出信号を出力するまでは、緑色光表示、又は不正を表示する状態以外の状態になる不正表示手段を加えたことを特徴とする請求項１ないし請求項９記載の遊技機の不正検出装置。
【請求項１１】
上記不正信号出力手段が不正検出信号を出力した場合に、複数の遊技機の状態を監視している監視装置に、不正発生信号を出力する不正発生信号出力手段とを加えたことを特徴とする請求項１ないし請求項１０記載の遊技機の不正検出装置。
【請求項１２】
複数の遊技機の状態を監視している監視装置から試験信号を入力する試験信号入力手段と、
該試験信号入力手段が入力した試験信号を上記抽選信号に替えて抽選信号入力手段に入力させる試験信号置き換え手段とを加えたことを特徴とする請求項１ないし請求項１１記載の遊技機の不正検出装置。
【発明の詳細な説明】
【０００１】
【発明の属する技術分野】
本発明は、遊技機に仕掛けられた不正を検出する技術に関する。
【０００２】
【発明が解決しようとする課題】
パチンコ機などの遊技機は、換金性のある景品が提供されることから、不正な行為によって利益を得ようとする者たちの格好の攻略対象となっている。この様な不正な行為として、図９に示すように、パチンコ機ＪＰの始動口Ｊ１の遊技球センサＪ３と、遊技機コンピュータＪ５との間に電子装置Ｊ７を介装して、偽の遊技球検出信号ＳＮ１を出力するものがある。
【０００３】
例えば、偽の遊技球検出信号ＳＮ１の出し方としては、次のような方法が考えられる。
図１０の（Ａ）に示すように、まず遊技機コンピュータＪ５の当たりタイミングを調べるサーチを行い、（Ｂ）に示すように調べた当たりのタイミングで実際に当たりを発生させる実証を行う。サーチでは、疑似スタート信号を電子装置Ｊ７から実際の遊技球検出信号ＳＮ１に替えて遊技機コンピュータＪ５に送信するとともに、その疑似スタート信号のタイミングを示す値をシフトメモリを構成するメモリＭ０ないしメモリＭ５に記憶しておき、大当り発生信号を入力したら、その時のメモリＭ０ないしメモリＭ５の値を保持する処理を行う。
【０００４】
実証では、メモリＭ０ないしメモリＭ５の値に対応するタイミングで、疑似スタート信号を遊技球検出信号ＳＮ１に替えて、遊技機コンピュータＪ５に出力する。以後、実証時（１）、実証時（２）、実証時（３）のように、繰り返すだけで、何回でも大当たりを誘導することが可能になる。
【０００５】
この手法は、遊技機コンピュータＪ５の本体に直接手を加えることなく、配線に電子装置Ｊ７を繋ぐだけで、簡単に取り付けができ、しかも電子装置Ｊ７が極めて小型化され、克つ巧妙に製作されており、簡単には発見できない特徴がある。
【０００６】
しかも取り付けた者にだけ、作為的に大当たりを発生させることができ、遊技機を設置している遊技店に甚大な被害を与えている。
そこで本発明は、遊技機に仕掛けられる不正を検出して、報知する装置の提供を目的とする。
【０００７】
【課題を解決するための手段】
上記課題を解決するために、請求項１の発明の遊技機の不正検出装置は、抽選用数値列を周期的に繰り返し、発生した抽選信号を入力したときの上記抽選用数値列の数値に応じて、当たりの判断を行い、当たりであるとの判断が行われた場合には、利益を提供する遊技状態になる遊技機に対して仕掛けられる不正を検出する装置であって、上記抽選用数値列の周回周期に関連するタイミングで周期的な基準信号を発生する基準信号発生手段と、上記抽選信号を入力する抽選信号入力手段と、上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、該計数手段が計数したカウント値を順次入力し、該入力したカウント値が同一の値の近傍に多く発生しているカウント値の偏り状態を判断するカウント値偏り判断手段と、該カウント値偏り判断手段がカウント値の偏り状態であると判断した場合に不正検出信号を出力する不正信号出力手段とを備えることを要旨とする。
【０００８】
これにより、請求項１の遊技機の不正検出装置は、基準信号発生手段が周期的な基準信号を発生し、抽選信号入力手段が抽選信号を入力する。基準信号は、遊技機の当たりの判断を行う数値列の繰り返し周期に同期するタイミングで発生させる。基準信号は、例えば遊技機コンピュータのクロックを分周して作成しても良く、遊技機コンピュータから数値列が先頭になったことを示す信号を出力して、これを受信して基準信号としても良く、自己のクロック信号を分周して作っても良い。
【０００９】
一方、計数手段が、抽選用数値列の数値の移行するタイミングで出力されるカウント信号を入力して、基準信号が発生してから抽選信号が入力するまでの期間に入力した上記カウント信号の数をカウント値として計数し、カウント値偏り判断手段が計数手段が計数したカウント値を順次入力して、カウント値に偏りが有るかを判断する。カウント値に偏りがあるということから、抽選信号に作為が加えられていると判断して、不正信号出力手段が、不正検出信号を出力する。カウント値は、遊技機の抽選用の数値列の移行周期と同じ周期で計数されるものである。
【００１０】
この結果、通常は、始動口に遊技球が入賞したことによって出力される抽選信号は、基準信号に対して完全にランダム状態であることから、不正であるとの報知は行われることはない。一方、基準信号に対して抽選信号の入力時点に、偏りがある状態で有れば、この偏りがある状態を遊技機に不正が仕掛けられている状態であると判断して不正を報知することができる。従って、当たりの抽選結果に影響を与える不正から遊技機を防御することができるという極めて優れた効果を奏する。
【００１１】
請求項１の発明の遊技機の不正検出装置は、上記カウント値偏り判断手段を該計数手段が計数したカウント値を順次入力して、複数記憶するカウント値複数記憶手段と、該カウント値複数記憶手段に記憶されているカウント値の複数を対比して、各カウント値の偏差が所定値以下かを判断する偏差判断手段とにし、上記不正信号出力手段を該偏差判断手段が各カウント値の偏差が所定以下であると判断した場合に不正検出信号を出力するとしたことを特徴とする遊技機の不正検出装置を要旨とする。
【００１２】
これにより、抽選信号が当たりを引くタイミングを重点的に狙って、出力されたことを各カウント値の偏差が所定以下であることから見つけ出して、遊技機に対する不正が仕掛けられている状態であると判断して不正を報知することができる。従って、当たりの抽選結果に影響を与える不正から遊技機を防御することができるという極めて優れた効果を奏する。
【００１３】
請求項２の発明の遊技機の不正検出装置は、抽選用数値列を周期的に繰り返し、発生した抽選信号を入力したときの上記抽選用数値列の数値に応じて、当たりの判断を当たり判断手段で行い、該当たり判断手段が当たりであるとの判断を行った場合には、利益を提供する遊技状態になる遊技機に対して仕掛けられる不正を検出する装置であって、上記抽選用数値列の周回周期に関連するタイミングで周期的な基準信号を発生する基準信号発生手段と、上記抽選信号を入力する抽選信号入力手段と、上記当たり判断手段が当たりであると判断したことを示す当たり信号を入力する当たり信号入力手段と、上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、該計数手段が計数したカウント値を順次入力し、カウント値を複数記憶するカウント値記憶手段と、上記当たり信号入力手段が当たり信号を入力した場合に、上記カウント値記憶手段が複数記憶しているカウント値を記憶する当たりカウント値記憶手段と、上記当たりカウント値記憶手段が複数記憶しているカウント値と、上記カウント値記憶手段が複数記憶しているカウント値とを対比して、両カウント値の並びに類似する状態があるかを判断するカウント値並び類似判断手段と、該カウント値並び類似判断手段がカウント値の並びに類似状態があると判断した場合に不正検出信号を出力する不正信号出力手段とを備えることを要旨とする。
【００１４】
これにより、請求項２の遊技機の不正検出装置は、基準信号発生手段が周期的な基準信号を発生し、抽選信号入力手段が抽選信号を入力する。
一方、計数手段が基準信号の発生から、抽選信号が入力するまでの期間に対応したカウント値を計数し、そのカウント値をカウント値記憶手段が複数記憶する。
【００１５】
ここで、遊技機の当たり判断手段が当たりであると判断すると、当たり信号入力手段が当たり信号を入力し、これにより当たりカウント値記憶手段がカウント値記憶手段が記憶しているカウント値を記憶する。
当たりカウント値記憶手段がカウント値を記憶すると、カウント値並び類似判断手段が当たりカウント値記憶手段と、カウント値記憶手段とに記憶されているカウント値相互を対比して、両カウント値の間に類似点がないかを判断する。類似点があることから、抽選信号が当たりの発生したときを再現している作為が仕掛けられていると判断して、不正検出信号を出力する。
【００１６】
この結果、当たりの抽選結果に影響を与える不正から遊技機を防御することができるという極めて優れた効果を奏する。
また、請求項２の発明の遊技機の不正検出装置は、上記カウント値並び類似判断手段を上記当たりカウント値記憶手段が複数記憶しているカウント値と、上記カウント値記憶手段が複数記憶しているカウント値とを対比して、両カウント値間に少なくとも２以上の所定数以上の同一の値のカウント値が有る場合に両カウント値間に類似する状態があると判断するとしたことを特徴とする。
【００１７】
これにより、抽選信号が当たりを再現することを狙って、当たりの発生時に同期するように出力されたことを見つけ出して、遊技機に対する不正が仕掛けられている状態であると判断して不正を報知することができる。従って、当たりの抽選結果に影響を与える不正から遊技機を防御することができるという極めて優れた効果を奏する。
【００１８】
請求項３の発明の遊技機の不正検出装置は、抽選用数値列を周期的に繰り返し、発生した抽選信号を入力したときの上記抽選用数値列の数値に応じて、当たりの判断を行い、当たりであるとの判断が行われた場合には、利益を提供する遊技状態になる遊技機に対して仕掛けられる不正を検出する装置であって、上記抽選用数値列の周回周期に関連するタイミングで周期的な基準信号を発生する基準信号発生手段と、上記抽選信号を入力する抽選信号入力手段と、上記抽選用数値列の数値の移行するタイミングで出力されるカウント信号を入力して、上記基準信号が発生してから上記抽選信号が入力するまでの期間に入力した上記カウント信号の数をカウント値として計数する計数手段と、該計数手段が計数したカウント値を順次入力し、該入力したカウント値に周期性があるかを判断するカウント値周期性判断手段と、該カウント値周期性判断手段がカウント値に周期性があると判断した場合に不正検出信号を出力する不正信号出力手段とを備えることを要旨とする。
【００１９】
これにより、請求項３の遊技機の不正検出装置は、基準信号発生手段が周期的な基準信号を発生し、抽選信号入力手段が抽選信号を入力する。
一方、計数手段が、抽選用数値列の数値の移行周期に関連するタイミングで出力されるカウント信号を入力して、基準信号が発生してから抽選信号が入力するまでの期間に入力した上記カウント信号の数をカウント値として計数し、そのカウント値をカウント値周期性判断手段が入力して、周期性があるかを判断し、周期性が有れば、抽選信号に作為が仕掛けられていると判断して、不正信号出力手段が不正検出信号を出力する。
【００２０】
この結果、抽選信号の周期性から不正を報知して、当たりの抽選結果に影響を与える不正から遊技機を防御することができるという極めて優れた効果を奏する。
請求項４の発明の遊技機の不正検出装置は、上記カウント値周期性判断手段を該計数手段が計数したカウント値を順次入力し、所定の２個のカウント値の偏差と、他の所定の２個のカウント値の偏差とを求め、両偏差の偏差が所定値以下の場合に、該入力したカウント値に周期性があると判断するとしたことを特徴とする請求項３記載の遊技機の不正検出装置を要旨とする。
【００２１】
これにより、抽選信号の移行状態から抽選信号が作為的に作られたことを見つけ出して、遊技機に対する不正が仕掛けられている状態であると判断して不正を報知することができる。従って、当たりの抽選結果に影響を与える不正から遊技機を防御することができるという極めて優れた効果を奏する。
【００２２】
請求項５の発明の遊技機の不正検出装置は、上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行い、当たりであるとの判断が行われた場合には、利益を提供する遊技状態になるとし、上記基準信号発生手段を上記遊技機のクロック信号に基づいて周期的な基準信号を発生するとしたことを特徴とする請求項１ないし請求項４記載の遊技機の不正検出装置を要旨とする。
【００２３】
これにより、基準信号を遊技機のクロック信号に基づいて発生することにより、遊技機の当たりの抽選の周期と、基準信号の周期とを同期させることが可能になる。従って、基準信号に基づく不正の検出精度が向上する。
請求項６の発明の遊技機の不正検出装置は、上記遊技機を抽選用の数値列を、所定の周期で先頭から抽選用記憶エリアに移行させ、遊技によって発生した抽選信号を入力したときに、上記抽選用記憶エリアに位置する数値に応じて、当たりの判断を行い、当たりであるとの判断が行われた場合には、利益を提供する遊技状態になるとし、上記基準信号発生手段を上記遊技機の抽選用の数値列を抽選用記憶エリアに先頭から移行させる場合の所定の周期に同期する基準信号を発生するとしたことを特徴とする請求項１ないし請求項５記載の遊技機の不正検出装置を要旨とする。
【００２４】
これにより、基準信号が当たりの抽選の周期と同期され、特定の遊技機特有の弱点を突いた不正に対しても、その遊技機と同じ条件でカウント値の計数や、偏差を求めたり、周期を求めたりでき、微妙な値からでも不正を検出することが可能になる。つまり、不正の検出感度を高くすることができる。
【００２５】
請求項７の発明の遊技機の不正検出装置は、上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行うとともに、上記抽選用数値列の先頭位置を所定の手順で求めた先頭位置変更値に応じて変更する先頭位置変更手段を備え、当たりであるとの判断が行われた場合には、利益を提供する遊技状態になるとし、上記先頭位置変更値を入力する先頭位置変更値入力手段を加え、上記基準信号発生手段を上記遊技機のクロック信号に基づいて周期的な基準信号の発生時点を求める基準信号発生時点算出手段と、上記先頭位置変更値入力手段が入力した先頭位置変更値に基づいて、上記求めた発生時点を変更する基準信号発生時点変更手段と、該基準信号発生時点変更手段が求めた発生時点に基準信号を発生する基準信号出力手段とを備えたとしたことを特徴とする請求項１ないし請求項４記載の遊技機の不正検出装置を要旨とする。
【００２６】
これにより、当たりの判定用の数値列の先頭を変更する遊技機、たとえばリングカウンタ数値列の周回開始位置を、毎回変更するパチンコ遊技機に対して仕掛けられる不正を高い精度で検出することが可能になる。
請求項８の発明の遊技機の不正検出装置は、上記遊技機を抽選用の数値列をクロック信号に基づいて先頭から周期的に繰り返し抽選用記憶エリアに移行させ、遊技によって発生した抽選信号を入力したときに、上記抽選用記憶エリアに位置する数値に応じて、当たりの判断を行うとともに、上記抽選用数値列の先頭位置を所定の手順で求めた先頭位置変更値に応じて変更する先頭位置変更手段を備え、当たりであるとの判断が行われた場合には、利益を提供する遊技状態になるとし、上記先頭位置変更値を入力する先頭位置変更値入力手段と、上記先頭位置変更値入力手段が入力した先頭位置変更値に基づいて、上記計数手段が計数したカウント値を補正するカウント値補正手段とを加えたことを特徴とする請求項１ないし請求項４記載の遊技機の不正検出装置を要旨とする。
【００２７】
これにより、当たりの判定用の数値列の先頭を変更する遊技機、たとえばリングカウンタ数値列の周回開始位置を、毎回変更するパチンコ遊技機に対して仕掛けられる不正を高い精度で検出することが可能になる。
請求項９の発明の遊技機の不正検出装置は、上記不正信号出力手段が不正検出信号を出力した場合に、赤色光表示、又は所定の光表示を行う不正表示手段を加えたことを特徴とする請求項１ないし請求項８記載の遊技機の不正検出装置を要旨とする。
【００２８】
これにより、不正の発生を光学的に表示することができ、これを見ることで不正が加えられていることを確認することができる。
請求項１０の発明の遊技機の不正検出装置は、上記不正信号出力手段が不正検出信号を出力するまでは、緑色光表示、又は不正を表示する状態以外の状態になる不正表示手段を加えたことを特徴とする請求項１ないし請求項９記載の遊技機の不正検出装置を要旨とする。
【００２９】
これにより、不正が仕掛けられていないことを光学的に表示することができる。
請求項１１の発明の遊技機の不正検出装置は、上記不正信号出力手段が不正検出信号を出力した場合に、複数の遊技機の状態を監視している監視装置に、不正発生信号を出力する不正発生信号出力手段とを加えたことを特徴とする請求項１ないし請求項１０記載の遊技機の不正検出装置を要旨とする。
【００３０】
これにより、遊技機に不正が仕掛けられたことを、遊技機を管理する監視装置に知らせることができる。
請求項１２の発明の遊技機の不正検出装置は、複数の遊技機の状態を監視している監視装置から試験信号を入力する試験信号入力手段と、該試験信号入力手段が入力した試験信号を上記抽選信号に替えて抽選信号入力手段に入力させる試験信号置き換え手段とを加えたことを特徴とする請求項１ないし請求項１１記載の遊技機の不正検出装置を要旨とする。
【００３１】
これにより、遊技機を管理する監視装置から、不正検出装置に試験信号を送信すると、この試験信号を抽選信号に替えて入力して、この試験信号に不正がないかを判断する。試験信号を不正なものであると判断すれば、不正検出信号を出力する。
【００３２】
従って、試験信号を不正検出装置が不正であると判断する形式にしておくことで、不正検出装置の試験を監視装置から行うことができる。請求項１２により、監視装置で、不正検出装置が試験信号によってどの様に動作したかを監視することができる。
【００３３】
この結果、不正検出装置が正常に動作しているかを遠隔で試験でき、不正検出システムの信頼性を保持するために行う不正検出装置の動作テストの工数を低減することができる。
【００３４】
【発明の実施の形態】
次に本発明の実施の形態を説明する。
図１は、遊技機コンピュータ１のブロック図、図２は、不正検出装置３のブロック図、図３は判定１回路５のブロック図、図４は判定２回路７のブロック図、図５は判定３回路９のブロック図である。
【００３５】
遊技機コンピュータ１は、図１に示すようにパチンコ機１１に取り付けられている。遊技機コンピュータ１は、ＣＰＵ１３やインタフェース１５等の周知の電子回路構成によって、パチンコ機１１の各部から情報を入力して、演算処理を行って、各部を駆動制御する。ＣＰＵ１３は、入力、出力ポートやＲＯＭ、ＲＡＭなどを１チップにしたハイブリット型のマイクロコンピュータである。
【００３６】
遊技機コンピュータ１は、パチンコ機１１の始動口に取り付けられた遊技球センサ１７に接続され、遊技球センサ１７から遊技球検出信号ＳＹを入力する。遊技球検出信号ＳＹは、バッファ回路１９と、インタフェース１５を経由して、ＣＰＵ１３に入力する。バッファ回路１９は、遊技機コンピュータ１内のデータが遊技機コンピュータ１外に出力されることを防止する。インタフェース１５は、ＣＰＵ１３外のデータをＣＰＵ１３のデータバス２１に入力する。
【００３７】
これらＣＰＵ１３、インタフェース１５、遊技球センサ１７等を備える遊技機コンピュータ１は、パチンコ遊技に伴って発生する遊技球検出信号ＳＹを大当たりの抽選信号にして、大当たりの抽選を実行し、大当たりであると判断した場合には、周知の大当たり遊技を提供する。
【００３８】
不正検出装置３は、エポキシ樹脂で一体にモールドされており、遊技機コンピュータ１内に設置される。不正検出装置３は、ＣＰＵ１３とともに、遊技機コンピュータ１の収納ボックス２３内に格納され、外部から隔離されている。これにより、不正検出装置３への不正を排除する。
【００３９】
不正検出装置３は、遊技球検出信号ＳＹをバッファ回路１９、２５を経由して入力する。
これにより、不正検出装置３は、ＣＰＵ１３に何等影響を与えることはない。不正検出装置３は、緑色発光と、赤色発光とを行う２色型ＬＥＤ２４をモールド外に備えている。
【００４０】
不正検出装置３は、図２に示すように、分周回路３１、分周回路３３と、パルス発生回路３５と、カウンタ３７と、データ配給路３９と、判定１回路５、判定２回路７、判定３回路９と、出力回路４１と、ＬＥＤ２４とを備えている。
分周回路３１、３３は、ＣＰＵ１３からクロックＣＬＫの供給を受けて、所定の分周を行う。分周回路３１は、基準信号ＳＳＤを発生する。基準信号ＳＳＤは、遊技機コンピュータ１が、大当たりの抽選を行うために用いるリングカウンタ数値列の周回周期に同期するタイミングで出力される。分周回路３１は、クロックＣＬＫを分周して、基準信号ＳＳＤを作成する。基準信号ＳＳＤは、パチンコ機１１に合わせて、仕様が決定される。
【００４１】
分周回路３３は、カウント波ＫＨを発生する。カウント波ＫＨは、遊技機コンピュータ１が、大当たりの抽選を行うために用いるリングカウンタ数値列の数値の移行周期に同期するタイミングで出力される。分周回路３３は、クロックＣＬＫを分周して、カウント波ＫＨを発生する。
【００４２】
従って、カウント波ＫＨは、基準信号ＳＳＤの２００〜１０００倍の数が発生される。この倍率は、パチンコ機１１の大当たりの抽選確率に一致する。
パルス発生回路３５は、入力１端子４３、入力２端子４５、入力３端子４７、出力４端子４９を備えており、以下に示すように動作する回路構成である。入力１端子４３には、分周回路３１が接続されて、基準信号ＳＳＤが入力されている。入力２端子４５には、遊技球検出信号ＳＹが入力されており、入力３端子４７には、分周回路３３が接続され、カウント波ＫＨが入力されている。
【００４３】
出力４端子４９は、次に示すカウント信号ＫＳを出力するものであって、入力１端子４３に基準信号ＳＳＤが入力すると、入力３端子４７に入力したカウント波ＫＨをそのまま出力するとともに、この状態で入力２端子４５に遊技球検出信号ＳＹが入力すると、カウント波ＫＨをそのまま出力することを停止する。
【００４４】
つまり、入力１端子４３に基準信号ＳＳＤが入力してから、入力２端子４５に遊技球検出信号ＳＹが入力するまで、入力端子４７に入力したカウント波ＫＨをカウント信号ＫＳとして出力する。
カウンタ３７は、入力端子５１と、リセット端子５３と、データ出力端子５５とを備え、入力端子５１には、パルス発生回路３５が接続され、カウント信号ＫＳを入力し、リセット端子５３には、分周回路３１が接続され、基準信号ＳＳＤが入力する。データ出力端子５５には、データ配給路３９が接続されている。データ配給路３９は、パラレルデータを伝達する。
【００４５】
カウンタ３７は、入力端子５１に入力したカウント信号ＫＳの計数を行うとともに、リセット端子５３に基準信号ＳＳＤが入力すると、その時の計数値をカウント値ＫＴとして、データ出力端子５５に出力して、データ配給路３９に出力する。又、データ出力端子５５にカウント値ＫＴを出力するとともに、計数値をクリアする。つまり、カウンタ３７は、基準信号ＳＳＤを入力する毎に、カウント信号ＫＳの計数値であるカウント値ＫＴを出力する。
【００４６】
判定１回路５、判定２回路７、判定３回路９は、それぞれデータ入力端子５７、５９、６１を備え、後述する不正の判定結果を示す不正検出信号ＳＦ１、ＳＦ２、ＳＦ３を出力端子６３、６５、６７に出力する。
出力端子６３、６５、６７は、出力回路４１に接続されており、出力回路４１は、不正検出信号ＳＦ１、ＳＦ２、ＳＦ３を入力するまでは、ＬＥＤ２４を緑色光に発光させ、不正検出信号ＳＦ１、ＳＦ２、ＳＦ３を入力するとＬＥＤ２４を赤色光に発光させる。赤色光の発光状態で、不正検出信号ＳＦ１、ＳＦ２、ＳＦ３の入力がなくなった場合には、１０分間赤色発光を保持して、緑色光発光に切り換える自己保持、セルフリセット機能を有する。
【００４７】
出力回路４１は、不正検出信号出力端子７１を備えている。不正検出信号出力端子７１は、不正検出信号ＳＦ１、ＳＦ２、ＳＦ３を合成して、そのまま出力する。不正検出信号出力端子７１は、図１に示す監視装置７３に接続されている。監視装置７３は、いわゆるホールコンピュータと言われるもので、パチンコホール内の全てのパチンコ機１１の動作状態をモニタする。
【００４８】
これにより、不正検出装置３が不正検出信号ＳＦを出力すると、監視装置７３によってこの不正検出信号ＳＦが入力される。従って、監視装置７３は、パチンコ機１１に不正が仕掛けられたことをリアルタイムで検出し、ホールスタッフへの報知を行う。
【００４９】
判定１回路５は、図３に示すように、シフトメモリ８１と、カウント数同一判断回路８３と、カウント数差１以内判断回路８５と、カウント数差３以内判断回路８７と、カウント数差３以内が３以上有判断回路８９とを備えている。
シフトメモリ８１は、７個の直列接続の１番メモリ９３、２番メモリ９５、３番メモリ９７、４番メモリ９９、５番メモリ１０１、６番メモリ１０３、７番メモリ１０５を備えており、１番メモリ９３には、データ入力端子５７が接続されている。データ入力端子５７には、カウント値ＫＴが入力され、これによりカウント値ＫＴは、１番メモリ９３に入力される。次のカウント値ＫＴが１番メモリ９３に入力されると、これまで１番メモリ９３に記憶されていたカウント値ＫＴは、２番メモリ９５に移動する。この様に、以後、カウント値ＫＴが入力される毎に３番メモリ９７、４番メモリ９９、５番メモリ１０１、６番メモリ１０３、７番メモリ１０５へとカウント値ＫＴが順番に移動する。又、１番メモリ９３、２番メモリ９５、３番メモリ９７、４番メモリ９９、５番メモリ１０１、６番メモリ１０３、７番メモリ１０５は、それぞれデータ出力端子１０７、１０９、１１１、１１３、１１５、１１７、１１９を備え、それぞれ記憶しているカウント値ＫＴを出力する。
【００５０】
カウント数同一判断回路８３は、入力端子１２１、１２３と、出力端子１２５とを備えている。入力端子１２１は、１番メモリ９３のデータ出力端子１０７に接続されている。入力端子１２３は、２番メモリ９５のデータ出力端子１０９に接続されている。出力端子１２５は、出力端子６３に接続され、該出力端子６３を経由して出力回路４１に接続されいる。
【００５１】
カウント数同一判断回路８３は、入力端子１２１と、入力端子１２３とに入力したカウント値ＫＴが同一数値である場合には、出力端子１２５に不正検出信号ＳＦ１を出力する。これにより、カウント数同一判断回路８３は、連続して入力したカウント値ＫＴが同一で有れば、これを遊技球検出信号ＳＹに作為があると判断して、不正検出信号ＳＦ１を出力する。この結果、出力回路４１が、ＬＥＤ２４を緑色発光から赤色発光に変更し、監視装置７３に不正検出信号ＳＦを出力する。従って、パチンコ機１１の位置で、パチンコ機１１に不正が有ったことを赤色光表示によって報知することができるとともに、監視装置７３にパチンコ機１１に不正が仕掛けられていることを知らせて、所定の対応を求めることができる。
【００５２】
カウント数差１以内判断回路８５は、入力端子１２７、１２９と、出力端子１３１とを備えている。入力端子１２７は、２番メモリ９５のデータ出力端子１０９に接続されている。入力端子１２９は、４番メモリ９９のデータ出力端子１１３に接続されている。出力端子１３１は、出力端子６３に接続され、該出力端子６３を経由して出力回路４１に接続されいる。
【００５３】
カウント数差１以内判断回路８５は、入力端子１２７と、入力端子１２９とに入力したカウント値ＫＴの差が１以内である場合には、出力端子１３１に不正検出信号ＳＦ１を出力する。これにより、カウント数差１以内判断回路８５は、１つ置きに入力したカウント値ＫＴが同一か、１つ違いで有れば、これを遊技球検出信号ＳＹに作為があると判断して、不正検出信号ＳＦ１を出力する。この結果、パチンコ機１１に不正が仕掛けられていることを知らせて、所定の対応を求めることができる。
【００５４】
カウント数差３以内判断回路８７は、入力端子１３３、１３５、１３７と、出力端子１３９とを備えている。入力端子１３３は、５番メモリ１０１のデータ出力端子１１５に接続されている。入力端子１３５は、６番メモリ１０３のデータ出力端子１１７に接続されている。入力端子１３７は、７番メモリ１０５のデータ出力端子１１９に接続されている。出力端子１３９は、出力端子６３に接続され、該出力端子６３を経由して出力回路４１に接続されいる。
【００５５】
カウント数差３以内判断回路８７は、入力端子１３３と、入力端子１３５と、入力端子１３５とに入力した３個のカウント値ＫＴの差が３以内である場合には、出力端子１３９に不正検出信号ＳＦ１を出力する。これにより、カウント数差３以内判断回路８７は、連続して入力した３個のカウント値ＫＴが、最大と最小との差が３以内で有れば、これを遊技球検出信号ＳＹに作為があると判断して、不正検出信号ＳＦ１を出力する。この結果、パチンコ機１１に不正が仕掛けられていることを知らせて、所定の対応を求めることができる。
【００５６】
カウント数差３以内が３以上有判断回路８９は、入力端子１４１、１４３、１４５、１４７、１４９、１５１、１５３と、出力端子１５５とを備えている。入力端子１４１は、１番メモリ９３のデータ出力端子１０７に接続されている。入力端子１４３は、２番メモリ９５のデータ出力端子１０９に接続されている。入力端子１４５は、３番メモリ９７のデータ出力端子１１１に接続されている。入力端子１４７は、４番メモリ９９のデータ出力端子１１３に接続されている。入力端子１４９は、５番メモリ１０１のデータ出力端子１１５に接続されている。入力端子１５１は、６番メモリ１０３のデータ出力端子１１７に接続されている。入力端子１５３は、７番メモリ１０５のデータ出力端子１１９に接続されている。出力端子１５５は、出力端子６３に接続され、該出力端子６３を経由して出力回路４１に接続されいる。
【００５７】
カウント数差３以内が３以上有判断回路８９は、入力端子１４１〜１５３に入力した７個のカウント値ＫＴに差が３以内の組合せが３個以上ある場合には、出力端子１３９に不正検出信号ＳＦ１を出力する。これにより、カウント数差３以内が３以上有判断回路８９は、連続して入力した７個のカウント値ＫＴに、偏りがあると判断できるカウント数差３以内が３以上有で有れば、これを遊技球検出信号ＳＹに作為があると判断して、不正検出信号ＳＦ１を出力する。この結果、パチンコ機１１に不正が仕掛けられていることを知らせて、所定の対応を求めることができる。
【００５８】
以上の、判定１回路５により、特定の数値の近傍の数値が多く現れる状態を検出して、この状態は不正が仕掛けられている状態であると報知することができる。従って、パチンコ機１１のセキュリティが向上される。
判定２回路７は、図４に示すように、シフトメモリ２６１と、大当たりメモリ２６３と、大当たり直前カウント数と２個同一判断回路２６５と、デレィ回路２６７とを備えている。シフトメモリ２６１は、４個の直列接続の１番メモリ２７１、２番メモリ２７３、３番メモリ２７５、４番メモリ２７７を備えており、１番メモリ２７１には、データ入力端子５９が接続されている。データ入力端子５９には、カウント値ＫＴが入力され、これによりカウント値ＫＴは、１番メモリ２７１に入力される。次のカウント値ＫＴが１番メモリ２７１に入力されると、これまで１番メモリ２７１に記憶されていたカウント値ＫＴは、２番メモリ２７３に移動する。この様に、以後、カウント値ＫＴが入力される毎に３番メモリ２７５、４番メモリ２７７へとカウント値ＫＴが順番に移動する。又、１番メモリ２７１、２番メモリ２７３、３番メモリ２７５、４番メモリ２７７は、それぞれデータ出力端子２８１、２８２、２８３、２８４、２８５、２８６、２８７、２８８を備え、それぞれ記憶しているカウント値ＫＴを出力するとともに、それぞれリセット端子２９１、２９３、２９５、２９７を備え、記憶しているカウント値ＫＴを、クリアする。
【００５９】
大当たりメモリ２６３は、４個の１番メモリ３０１、２番メモリ３０３、３番メモリ３０５、４番メモリ３０７を備えており、１番メモリ３０１、２番メモリ３０３、３番メモリ３０５、４番メモリ３０７は、それぞれデータ入力端子３１１、３１３、３１５、３１７を備え、データ出力端子２８１、２８３、２８５、２８７に接続されている。１番メモリ３０１、２番メモリ３０３、３番メモリ３０５、４番メモリ３０７は、それぞれそれぞれデータ出力端子３２１、３２３、３２５、３２７と、記憶保持端子３３１、３３３、３３５、３３７とを備えている。データ出力端子３２１、３２３、３２５、３２７は、１番メモリ３０１、２番メモリ３０３、３番メモリ３０５、４番メモリ３０７が保持している記憶内容を出力する。
【００６０】
記憶保持端子３３１、３３３、３３５、３３７は、大当たり信号入力端子３４１に接続されている。大当たり信号入力端子３４１は、ＣＰＵ１３からパチンコ機１１が大当たり状態になったことを示す大当たり信号ＳＯを入力する。
これにより、大当たり信号ＳＯが大当たり信号入力端子３４１に入力すると、大当たり信号ＳＯが記憶保持端子３３１、３３３、３３５、３３７に入力され、１番メモリ２７１、２番メモリ２７３、３番メモリ２７５、４番メモリ２７７から、１番メモリ３０１、２番メモリ３０３、３番メモリ３０５、４番メモリ３０７に、入力されていたカウント値ＫＴを保持する。この保持されたカウント値は、次の大当たり信号ＳＯが入力されるまで保持される。次の大当たり信号ＳＯが入力されると、その時に１番メモリ２７１、２番メモリ２７３、３番メモリ２７５、４番メモリ２７７から入力されていたカウント値ＫＴを保持する。つまり記憶内容が更新される。
【００６１】
大当たり信号ＳＯは、デレィ回路２６７を経由して、シフトメモリ２６１のリセット端子２９１、２９３、２９５、２９７に加えられ、シフトメモリ２６１の記憶内容をクリアする。
これらにより、大当たり信号ＳＯが入力されると、シフトメモリ２６１の記憶内容が大当たりメモリ２６３に移動する。
【００６２】
大当たり直前カウント数と２個同一判断回路２６５は、第１入力端子３５１、３５３、３５５、３５７と、第２入力端子３６１、３６３、３６５、３６７と、出力端子３６９とを備えている。
第１入力端子３５１、３５３、３５５、３５７は、大当たりメモリ２６３の記憶しているカウント値ＫＴを入力し、第２入力端子３６１、３６３、３６５、３６７は、シフトメモリ２６１の記憶しているカウント値ＫＴを入力する。
【００６３】
大当たり直前カウント数と２個同一判断回路２６５は、第１入力端子３５１、３５３、３５５、３５７と、第２入力端子３６１、３６３、３６５、３６７とにそれぞれ入力したカウント値ＫＴ同士を対比して、同一のカウント値ＫＴとなるものが２組以上あるかを判断し、２組以上あれば、これを遊技球検出信号ＳＹに作為があると判断して、不正検出信号ＳＦ２を出力する。この結果、パチンコ機１１に不正が仕掛けられていることを知らせて、所定の対応を求めることができる。
【００６４】
以上の、判定２回路７により、大当たりの直前の状態を模倣した数値が多く現れる状態を検出して、この状態は不正が仕掛けられている状態であると報知することができる。従って、パチンコ機１１のセキュリティが向上される。
判定３回路９は、図５に示すように、シフトメモリ３７１と、差回路３７３、３７５、３７７と、差が同一判断回路３７９と、差がプラスマイナス１以内判断回路３８１とを備えている。
【００６５】
シフトメモリ３７１は、４個の直列接続の１番メモリ３８３、２番メモリ３８５、３番メモリ３８７、４番メモリ３８９を備えており、１番メモリ３８３には、データ入力端子６１が接続されている。データ入力端子６１には、カウント値ＫＴが入力され、これによりカウント値ＫＴは、１番メモリ３８３に入力される。又、１番メモリ３８３、２番メモリ３８５、３番メモリ３８７、４番メモリ３８９は、それぞれデータ出力端子３９３、３９５、３９７、３９９を備え、それぞれ記憶しているカウント値ＫＴを出力する。
【００６６】
差回路３７３は、入力端子４０１、４０３と、出力端子４０５とを備えている。これにより、差回路３７３は、１番メモリ３８３と、２番メモリ３８５とに記憶されているカウント値ＫＴの差の絶対値を出力端子４０５に出力する。
差回路３７５は、入力端子４１１、４１３と、出力端子４１５とを備えている。これにより、差回路３７５は、２番メモリ３８５と、３番メモリ３８７とに記憶されているカウント値ＫＴの差の絶対値を出力端子４１５に出力する。
【００６７】
差回路３７７は、入力端子４２１、４２３と、出力端子４２５とを備えている。これにより、差回路３７７は、３番メモリ３８７と、４番メモリ３８９とに記憶されているカウント値ＫＴの差の絶対値を出力端子４２５に出力する。
差が同一判断回路３７９は、入力端子４３１、４３３と、出力端子４３５とを備えている。これにより、差が同一判断回路３７９は、差回路３７３と、差回路３７５とが出力した差の値が同一であるかを判断し、同一で有れば、出力端子４３５に不正検出信号ＳＦ３を出力する。
【００６８】
差がプラスマイナス１以内判断回路３８１は、入力端子４４１、４４３と、出力端子４４５とを備えている。これにより、差がプラスマイナス１以内判断回路３８１は、差回路３７３と、差回路３７７とが出力した差の値がプラスマイナス１以内であるかを判断し、プラスマイナス１以内で有れば、出力端子４４５に不正検出信号ＳＦ３を出力する。
【００６９】
以上の、判定３回路９により、遊技球検出信号ＳＹの入力タイミングが、特定の周期で変化、例えば同一の時間間隔で入力、又は２種類の時間間隔が交互で入力、或いは入力する間隔が僅かずつ長くなる、又は短くなる状態を検出して、この状態は不正が仕掛けられている状態であると報知することができる。従って、パチンコ機１１のセキュリティが向上される。
【００７０】
図１に示す監視装置７３は、不正検出信号ＳＦを入力すると、パチンコ機１１の台番号と、不正の発生表示を行う。
監視装置７３は、試験信号ＳＳＴの出力機能を有する。試験信号ＳＳＴは、不正検出装置３のバッファ回路２５の出力側２６に供給される。試験信号ＳＳＴの送信は、通常始業点検として行われる。試験信号ＳＳＴは、疑似遊技球検出信号ＤＳＹとして送信されるもので、判定１回路試験用、判定２回路試験用、判定３回路試験用に調整されたものが出力される。
【００７１】
試験信号ＳＳＴが不正検出装置３に加えられると、不正検出装置３が正常に機能していれば、不正検出信号ＳＦを出力することになり、これを監視装置７３で確認する。確認できれば、不正検出装置３の始業点検が終了する。確認できなかった場合に、監視装置７３の図示しない報知手段に報知させる。正常動作が確認できなかった場合は、ホールスタッフにより、パチンコ台１１の点検が行われる。この点検では、まずＬＥＤ２４の発光色の確認が行われる。赤色発光で有れば、不正の検出が行われているが、信号の送信過程で不具合が生じていると判断でき、緑色で有れば、不正の検出がされていないと判断できる。
【００７２】
図７と図８は、大当たりの抽選用の乱数の分類の説明図である。
以上に説明した不正検出装置３は、図７に示すＩ型乱数５０１と、ＩＩ型乱数５０３と、ＩＩＩ型乱数５０５とを採用したパチンコ機１１に対応する。Ｉ型乱数５０１は、図８に示すように、所定段階数の単位数値列５１１の周回が等間隔で繰り返されるものである。大当たりの発生するタイミングは、等間隔である。この場合には、基準信号ＳＳＤは、単位数値列５１１と同期しておれば、最も良いが、同期していなくても不正の検出は可能である。
【００７３】
ＩＩ型乱数５０３は、所定段階数の単位数値列５１３の周回が繰り返されるものであって、各単位数値列毎に１段階進む時間間隔５１５が相違するものである。
ＩＩＩ型乱数５０５は、所定段階数の単位数値列５１７の周回が繰り返されるものであって、各段階毎に進む時間間隔５１９が相異するものである。
【００７４】
ＩＩ型乱数５０３と、ＩＩＩ型乱数５０５とは、１回の単位数値列５１３、５１７に注目すると、これらに同期する基準信号ＳＳＤは作ることはできないが、長い周期で見て、ほぼ同期する基準信号ＳＳＤを作る。この様に完全に同期することがなくても、検出の感度が低下するが、不正の検出は可能である。
【００７５】
次にＩＶ型乱数５２１について説明する。ＩＶ型乱数５２１は、所定段階数の単位数値列５２３の周回が等間隔で繰り返されるが、スタート段階５２５が毎回相異するものである。スタート段階５２５の変更は、所定の手順で行われる。
この様な場合でも、不正検出装置３でそのまま対応できるが、次に示す不正検出装置６０１を用いることで、より高い精度と、感度で、不正を検出することができる。
【００７６】
図６は、不正検出装置６０１のブロック図である。
不正検出装置６０１は、スタート可変対応ユニット６０３を、不正検出装置３に付加したものであり、スタート可変対応ユニット６０３以外は、構成も動作も不正検出装置３と同様である。同様な部分の詳細な説明は省略する。
【００７７】
スタート可変対応ユニット６０３は、加算器６０５を備えている。加算器６０５は、入力端子６０７、６０９と、出力端子６１１とを備えている。入力端子６０７は、カウンタ３７に接続され、出力端子６１１は、データ配給路３９に接続される。カウンタ３７と、データ配給路３９とは、不正検出装置３と同様である。
【００７８】
入力端子６０９は、ＣＰＵ１３に接続されている。入力端子６０９には、ＣＰＵ１３からスキップ数信号ＳＳＫが供給される。スキップ数信号ＳＳＫは、ＣＰＵ１３が大当たりの抽選を行うに際して、リングカウンタ数値列のスタート開始数を変更するために用いた数値をそのまま出力したものである。たとえば、５００分の１の抽選確率を採用している場合に、１から５００のリングカウンタ数値列を用いていたとして、スタート開始数を１０にした場合には、スキップ数信号ＳＳＫとして、「１０」が出力される。この場合には、リングカウンタ数値列は、１０からスタートして、５００を経由し９で終了する。
【００７９】
加算器６０５は、スキップ数信号ＳＳＫを受信して、カウンタ３７から出力されたカウンタ値ＫＴからスキップ数信号ＳＳＫの値を減算して、出力端子６１１に出力する。
これにより、基準信号ＳＳＤがＣＰＵ１３のスタート開始数の時点まで、移動させられたのと同様の効果を奏する。従って、ＩＶ型乱数５２１を採用するパチンコ機１１に仕掛けられる不正を検出して報知することができる。
【００８０】
特許請求の範囲の構成と発明の実施の形態との対応を説明する。
抽選信号は、遊技球検出信号ＳＹが対応する。
遊技機はパチンコ機１１が対応する。
基準信号発生手段は、クロックＣＬＫを分周する分周回路３１が対応する。
【００８１】
抽選信号入力手段は、バッファ回路１９、２５と、入力２端子４５が対応する。
計数手段は、パルス発生回路３５と、カウンタ３７とが対応する。
カウント値偏り判断手段は、判定１回路５が対応する。
【００８２】
不正信号出力手段は、出力回路４１が対応する。
カウント値複数記憶手段は、シフトメモリ８１が対応する。
偏差判断手段は、カウント数同一判断回路８３と、カウント数差１以内判断回路８５と、カウント数差３以内判断回路８７と、カウント数差３以内が３以上有判断回路８９とが対応する。
【００８３】
当たり判断手段は、ＣＰＵ１３の機能である。
請求項２の当たり信号入力手段は、大当たり信号入力端子３４１と、これに繋がったリード線が対応する。
カウント値記憶手段は、シフトメモリ２６１が対応する。
【００８４】
当たりカウント値記憶手段は、大当たりメモリ２６３が対応する。
カウント値並び類似判断手段は、大当たり直前カウント数と２個同一判断回路２６５が対応する。
請求項４のカウント値周期性判断手段は、判定３回路９が対応する。
【００８５】
請求項８の先頭位置変更手段は、スタート可変対応ユニット６０３が対応する。
先頭位置変更値入力手段は、スキップ数信号ＳＳＫの入力に関する説明部分が対応する。
【００８６】
基準信号発生時点変更手段と基準信号出力手段とは、加算器６０５が対応する。
不正表示手段は、出力回路４１と、ＬＥＤ２４が対応する。
監視装置は、監視装置７３が対応する。
【００８７】
不正発生信号は、不正検出信号ＳＦが対応する。
不正発生信号出力手段は、出力回路４１が対応する。
試験信号入力手段は、バッファ回路２５の出力側２６が対応する。
【図面の簡単な説明】
【図１】 遊技機コンピュータ１のブロック図である。
【図２】 不正検出装置３のブロック図である。
【図３】 判定１回路５のブロック図である。
【図４】 判定２回路７のブロック図である。
【図５】 判定３回路９のブロック図である。
【図６】 不正検出装置６０１のブロック図である。
【図７】 大当たりの抽選用の乱数の分類の説明図である。
【図８】 大当たりの抽選用の乱数の分類の説明図である。
【図９】 パチンコ機ＪＰの説明図である。
【図１０】不正の説明図である。
【符号の説明】
１…遊技機コンピュータ、
３…不正検出装置、
５…判定１回路、
７…判定２回路、
９…判定３回路、
１１…パチンコ機、
１７…遊技球センサ、
７３…監視装置、
６０１…不正検出装置、
６０３…スタート可変対応ユニット、
６０５…加算器
【図１】
0004482975.tif 000002
【図２】
0004482975.tif 000003
【図３】
0004482975.tif 000004
【図４】
0004482975.tif 000005
【図５】
0004482975.tif 000006
【図６】
0004482975.tif 000007
【図７】
0004482975.tif 000008
【図８】
0004482975.tif 000009
【図９】
0004482975.tif 000010
【図１０】
0004482975.tif 000011